(57)【要約】      （修正有）【課題】折り畳みもしくは分解すると、薄く収納でき、かつ軽量であること。また、載置時に安定し、移動時も使用上十分な剛性を備えていること。円錐型ペーパーフィルタが抽出液の量が多い場合でも、抽出された液に浸漬しにくいドリッパーを提供する。【解決手段】ドリッパー１であって、３枚の板材を三角錘状に組み合わせ円錐型ペーパーフィルタ4を保持する、上部に円錐型ペーパーフィルター４及び、コーヒー粉を投入可能な上部開口２と、下部に抽出開口３とカップ５に載置可能な載置部６ａ,６ｂを有する。【選択図】図１
2017051477.tif 000002
【特許請求の範囲】
【請求項１】
剛性を有する３枚の板材からなり、少なくとも１か所は嵌合支持可能な部分が設けられており、これらの３枚を錘状に組み立てることにより、カップの上に載置されてペーパーフィルタを保持するドリッパー。
【請求項２】
各板材は、嵌合凸部と嵌合凹部とを有しており、一の前記板材の嵌合凸部が、組立て状態で隣接する前記板材の嵌合凹部と嵌合する、請求項１に記載のドリッパー。
【請求項３】
各板材は、前記ペーパーフィルタを保持するためのペーパーフィルタ保持部と一体に設けられた載置部を有している、請求項１または２に記載のドリッパー。
【請求項４】
各載置部と各嵌合凹部との間には、少なくとも一つ以上の第１開口部が形成されている、請求項３に記載のドリッパー。
【請求項５】
各ペーパーフィルタ保持部には、少なくとも一つ以上の第２開口部が形成されている、請求項３または４に記載のドリッパー。
【請求項６】
前記３枚の板材は、互いに共通の諸元を有している、請求項１〜５のいずれか一項に記載のドリッパー。
【発明の詳細な説明】
【技術分野】
【０００１】
本発明は、コーヒーや茶などの液体を抽出するためのドリッパーに関するものである。
【背景技術】
【０００２】
コーヒー等を抽出するためのドリッパーの中で最も一般的なものは、円錐もしくは、略扇筒状のペーパーフィルタの形状に合わせた円錐もしくは略扇筒状のものであり、ペーパーフィルタをセットして、フィルタ内にコーヒー粉を入れ、上からお湯を注ぎコーヒー液を抽出する。このようなドリッパーは、金属製、樹脂製、セラミックス製等、剛性のある素材を使用した１つの部品で形成されている。
【０００３】
たとえば、携帯に便利である折りたたみ式のコーヒドリッパーとしては、フィルタを支持する部材が同心円状に巻回した超弾性又は形状記憶合金からなるドリッパーが開示されている（特許文献１参照）。
【０００４】
また、コンパクトに収納できるドリッパーとして、通水性を有する生地を超弾性合金のフレームと、これを当該容器に対し支持する支持部材からなるドリッパーが開示されている（特許文献２参照）。
【先行技術文献】
【特許文献】
【０００５】
【特許文献１】実開平０７ー００３５２８号公報
【特許文献２】特開２００８ー０４３５３０号公報
【発明の概要】
【発明が解決しようとする課題】
【０００６】
一般的なドリッパーは、剛性が高い立体構造と素材を採用しており、かつ分解不可であるためコンパクトに収容することが困難であり、また携帯にも不便であるという問題がある。
【０００７】
特許文献１のドリッパーは、支持部材の剛性不足により、使用時の安定性に欠ける。
【０００８】
特許文献２のドリッパーも、超弾性合金フレームの剛性不足により安定性に欠ける。
そのため、特許文献１、２では抽出完了後に移動させる際には注意が必要となる。
そこで、本発明の目的は、折りたたみまたは分解可能で、かつ剛性の高いドリッパーを提供することである。
【課題を解決するための手段】
【０００９】
上記の目的を達成するための請求項１に記載の発明は、剛性を有する３枚の板材からなり、少なくとも１か所は嵌合支持可能な部分が設けられており、これらの３枚を錘状に組み立てることにより、カップの上に載置されてペーパーフィルタを保持するドリッパーを提供する。
【００１０】
請求項２に記載の発明は、各板材は、嵌合凸部と嵌合凹部とを有しており、一の前記板材の嵌合凸部が、組立て状態で隣接する前記板材の嵌合凹部と嵌合する、請求項１に記載のドリッパーである。
【００１１】
請求項３に記載の発明は、各板材は、前記ペーパーフィルタを保持するためのペーパーフィルタ保持部と一体に設けられた載置部を有している、請求項１または２に記載のドリッパーである。
【００１２】
請求項４に記載の発明は、各載置部と各嵌合凹部との間には、少なくとも一つ以上の第１開口部が形成されている、請求項３に記載のドリッパーである。
【００１３】
請求項５に記載の発明は、各ペーパーフィルタ保持部には、少なくとも一つ以上の第２開口部が形成されている、請求項３または４に記載のドリッパーである。
【００１４】
請求項６に記載の発明は、前記３枚の板材は、互いに共通の諸元を有している、請求項１〜５のいずれか一項に記載のドリッパーである。
【発明の効果】
【００１５】
本発明のドリッパーでは、３つの板材を三角錘状に組み合わせている。つまり１つの板材は残りの２つの板材に支持されるため、３つの板材は互いに相対的な位置が固定される。よって組立後は３つの板材は高剛性体となり、使用時に求められる剛性を十分に有する。これにより折りたたみまたは分解可能で、かつ剛性の高いドリッパーを提供できる。
【図面の簡単な説明】
【００１６】
【図１】本発明の第１の実施形態に係るドリッパーの使用形態を表す斜視図である。
【図２】本発明の第１の実施形態に係る、組立状態のドリッパーが示された斜視図である。
【図３】前記組立状態のドリッパーが示された平面図である。
【図４】ドリッパー１を構成する板材１ａを示す図である。
【図５】嵌合凸部１４ａ，１５ａと嵌合凹部１６ａ，１７ａとの嵌合状態を示す拡大図である。
【図６】本発明の第２の実施形態に係るドリッパーを示す図である。
【図７】本発明の第３の実施形態に係るドリッパーを示す図である。
【発明を実施するための形態】
【００１７】
以下、この発明の実施形態を図面を用いて説明する。
図１は、本発明の第１の実施形態に係るドリッパー１の使用形態を表す斜視図である。
図１に示すように、カップ５の上に組立状態のドリッパー１を載置した状態でドリッパー１を使用する。組立状態にあるドリッパー１は、上部開口２と、抽出開口３を有している。上部開口２より円錐型ペーパーフィルタ４を挿入可能であり、挿入された円錐型ペーパーフィルタ４を、組立状態にあるドリッパー１にて保持できるようになっている。
円錐型ペーパーフィルタ４の中にコーヒー粉などの抽出対象の粉末、固体等を入れ、上部から液体を注ぎ、抽出開口３から抽出液を抽出し、カップ５でこれを受ける。
図２は、本発明の第１の実施形態に係る、組立状態のドリッパー１が示された斜視図である。
図３は、前記組立状態のドリッパー１が示された平面図である。
ドリッパー１は、剛性を有する３枚の板材１ａ,１ｂ,１ｃを含む。３枚の板材１ａ,１ｂ,１ｃは互いに同じ諸元を有している。各板材１ａ,１ｂ,１ｃはステンレス等の鋼材料を用いて形成されてもいいし、チタンやチタン合金等の非鉄金属や、樹脂材料を用いて形成されてもよい。
この実施形態では、板材１ａ,１ｂ,１ｃは、互いに着脱可能である。板材１ａ,１ｂ,１ｃを組み立てる際には、板材１ａ,１ｂ,１ｃの互いに隣り合う辺同士を揃え、これら同士を結合させることにより、これらを錘状に組み立てて、ドリッパー１を構成できる。すなわち、ドリッパー１は分解可能に設けられている。
図４は、ドリッパー１を構成する板材１ａを示す図である。 
板材１ａ,１ｂ,１ｃの諸元は互いに共通しているので、板材１ａについてのみ説明し、板材１ｂ,１ｃについての説明は省略する。板材１ａは略直角台形（直角を持つ台形）をなしている。板材１ａは、略二等辺三角形状のペーパーフィルタ保持部８ａと、略直角三角形状の載置部６ａとを、一枚の板材に形成したものである。
ペーパーフィルタ保持部８ａは、略二等辺三角形状からなるペーパーフィルタ保持部８ａの等辺の交点を頂点とし、この頂角θがたとえば約６０度である二等辺三角形の面により形成される。ペーパーフィルタ保持部８ａは、切欠きからなる、直線状の抽出開口構成辺１３ａを有している。板材１ａの抽出開口構成辺１３ａの形状は、嵌合の機能を損なわない範囲で任意に決めることができる。 ペーパーフィルタ保持部８ａの上部には直線状の上部開口構成辺２３ａを有している。ペーパーフィルタ保持部８ａは、抽出時に粉末から発生するガスの放出を促すため、かつ軽量化のために、たとえば等脚台形からなる保持部開口９ａ（第２の開口部）を有している。但し、保持部開口９ａの形状は嵌合の機能を損なわない範囲であることと円錐型ペーパーフィルタ４を保持する機能を損なわないことが求められる。 
ペーパーフィルタ保持部８ａの一方の等辺（上部開口構成辺２３ａを除く二辺の一方）には、当該等辺に沿う方向の中央部に、嵌合凸部１４ａ，１５ａが設けられている。また、ぺーパーフィルタ保持部８ａの他方の等辺（上部開口構成辺２３ａを除く二辺の他方）には、当該等辺に沿う方向の中央部に、嵌合凹部１６ａ，１７ａが設けられている。
載置部６ａは、その中央部に、たとえば三角形状の載置部開口（第１の開口部）１０ａを有し、当該載置部開口を除いた部分が、Ｌ字状をなしている。載置部開口１０ａは板材１ａの軽量化のために設けられる。この実施形態では、載置部開口１０ａが上下の勘合凹部１６ａ,１７ａと一体に設けられているが、載置部開口１０ａと、勘合凹部１６ａ,１７ａとが間隔を隔てて設けられていてもよい（すなわち、載置部開口１０ａと勘合凹部１６ａ，１７ａとが個々に設けられていてもよい）。この場合、 勘合凹部１６ａ，１７ａ同士は一体に設けられていてもよいし、勘合凹部１６ａ，１７ａもここに設けられていてもよい。
互いに共通の前記諸元を有した３つの板材１ａ,１ｂ,１ｃを、ペーパーフィルタ保持部８ａの一方の等辺と他方の等辺同士が沿うように組み立てると、中心角が１８０°である円錐型ペーパーフィルタ４にフィットする三角錐形状となる。尚、ペーパーフィルタ保持部８ａを形成する二等辺三角形の等辺の長さは任意であり、円錐型ペーパーフィルタのサイズに合わせる。
３つの板材１ａ,１ｂ,１ｃを組み立てた状態で、各板材１ａ,１ｂ,１ｃの嵌合凸部１４ａ，１５ａを、組立て状態で隣接する他の板材１ａ,１ｂ,１ｃの嵌合凹部１６ａ，１７ａと嵌合することにより、３つの板材１ａ,１ｂ,１ｃ同士が結合される。これにより、３つの板材１ａ,１ｂ,１ｃが互いに固定され、ドリッパー１が高い剛性を有するようになる。
図５は、嵌合凸部１４ａ，１５ａと嵌合凹部１６ａ，１７ａとの嵌合状態を示す拡大図である。
図５では、板材１ｃの嵌合凸部１４ｃ，１５ｃを、隣り合う板材１ａの嵌合凹部１６ａ，１７ａに嵌合させている。このとき、嵌合凸部１４ｃ，１５ｃは、嵌合凹部１６ａ，１７ａと同等の長さ寸法を有しており、そのため、板材１ｃを撓ませ、嵌合凸部１４ｃ，１５ｃを嵌合凹部１６ａ，１７ａへ挿入することにより嵌合させる。さらに、板材１ｂの嵌合凸部１４ｂ，１５ｂを、隣り合う板材１ｃの嵌合凹部１６ｃ，１７ｃに嵌合させ、かつ板材１ａの嵌合凸部１４ａ，１５ａを、隣り合う板材１ｂの嵌合凹部１６ｂ，１７ｂに嵌合させることにより、３つの板材１ａ,１ｂ,１ｃ同士が結合され、３つの板材１ａ,１ｂ,１ｃが互いに固定される。これにより、ドリッパー１が三角錐状の組立形状となる。
組立状態で各板材１ａ,１ｂ,１ｃの各抽出開口構成辺１３ａ,１３ｂ,１３ｃは抽出開口３を形成する。組立状態で、各板材１ａ,１ｂ,１ｃの各上部開口構成辺２３ａ,２３ｂ,２３ｃは上部開口２を形成する。組立状態で、各板材１ａ,１ｂ,１ｃの各ペーパーフィルタ保持部８ａ,８ｂ,８ｃによって、円錐型ペーパーフィルタ４が保持される。そして、組立状態において載置部６ａ,６ｂ,６ｃは、図３に示す通り上面から見て互いに120°ずつ位相がずれており、３点支持による載置の安定性を有する。
載置部６ａの下端部には脱落防止ストッパ内側１１ａと脱落防止ストッパ外側１２ａとが形成されている。脱落防止ストッパ内側１１ａと、脱落防止ストッパ外側１２ａは対象とするカップの径に合わせて決められる。ペーパーフィルタ保持部８ａの各辺のうち、載置部６ａと反対側の辺には、他の板材１ａ,１ｂ,１ｃの勘合凹部１６ａ,１７ａとそれぞれ嵌合する、勘合凸部１４ａ,１５ａが形成されている。
載置部下辺２２ａから略二等辺三角形状からなるペーパーフィルタ保持部８ａの等辺の交点（つまり、略二等辺三角形形状の頂点）であるペーパーフィルタ最下点１８までの距離ｈは任意で決めることができる。この距離を小さくすると、使用時に円錐型ペーパーフィルタ４の位置が、カップ５に対し高くなり、液体抽出量が多い場合でも、円錐型ペーパーフィルタ４が抽出液に浸漬しにくい。逆に、この距離ｈを大きくすると使用時に円錐型ペーパーフィルタ４が抽出液に浸漬しやすくなるものの、板材１ａの重量を軽くすることができる。
以上により、この実施形態によれば、ドリッパー１は高剛性体となり、使用時に求められる剛性を十分に有する。これにより、折りたたみまたは分解可能で、かつ剛性の高いドリッパー１を提供できる。
図６は、本発明の第２の実施形態に係るドリッパーを示す図である。図６において、第１の実施形態に示された各部に対応する部分には、前述の図１〜図５の場合と同一の参照符号を付して示し、説明を省略する。図６の実施形態に係るドリッパーが、図１〜図５に係るドリッパー１と相違する点は、載置部開口１０ａ，１０ｂ，１０ｃを廃止した点である。この場合、嵌合凹部としてスリット１９を設け、嵌合突部としてはめ込み部２０を設けている。
図７は、本発明の第３の実施形態に係るドリッパーを示す図である。図７において、第１の実施形態に示された各部に対応する部分には、前述の図１〜図５の場合と同一の参照符号を付して示し、説明を省略する。図７の実施形態に係るドリッパーが、図１〜図５に係るドリッパー１と相違する点は、隣接する板材１ａ，１ｃ同士が、蝶番２１によって連結されている。たとえば、隣接する板材１ｂ，１ｃ同士も蝶番２１によって連結し、かつ隣接する板材１ａ，１ｂ同士を嵌合凸部１４ａ，１５ａと嵌合凹部１６ｂ，１７ｂによる一時結合手法を採用することにより、非使用時においても、これら３枚の板材１ａ，１ｂ，１ｃを一括して取り扱うことができる。
つまり、嵌合部は、前記の図５の手法だけでなく、図６に示す突起を有したはめ込み部２０とスリット１９による着脱可能な嵌合手法や、図７に示すような蝶番２１による辺を中心とした回転自由度のみを有した固定手法など、使用に耐えうる嵌合力もしくは固定力を有していれば、何れの手法でも採用可能である。
以上、この発明の３つの実施形態について説明したが、本発明はさらに他の形態を採用することもできる。
上述の通り、本実施例は三角錐形状であるが、板材１ａ,１ｂ,１ｃを図４に示すペーパーフィルタ最下点１８から放射状に伸ばした１つ以上の線で折り曲げることにより、円錐型ペーパーフィルタにフィットするような、六角錐、十二角錐など構造を得ることができる。この場合、角数をnとすると一つの面の左右の辺のなす角θ＝１８０/ｎの略二等辺三角形のペーパーフィルタ保持部に載置部を有した形状となる。角数nを増すと円錘形状に近似されていくため、円錐型ドリッパーと同じような使用感を得ることができる。
また、各板材１ａ,１ｂ,１ｃの材質として、チタンやチタン合金等を採用することにより、高比剛性を得られる。また、各板材１ａ,１ｂ,１ｃの材質として、ステンレスを用いることにより、チタン材よりも薄い素材で同程度の剛性を得ることができる。更に耐熱性の樹脂を用いる事により低コストでの生産が可能と考えられる。つまり材料の選定により、様々な特徴をもったドリッパーを提供できる。
【符号の説明】
【００１８】
1 ドリッパー
1a 板材
1b 板材
1c 板材
2 上部開口
3 抽出開口
4 円錐型ペーパーフィルタ
5 カップ
6a 載置部
6b 載置部
6c 載置部
7a 嵌合部
7b 嵌合部
7c 嵌合部
8a ペーパーフィルタ保持部
8b ペーパーフィルタ保持部
8c ペーパーフィルタ保持部
9a 保持部開口部（第２の開口部）
9b 保持部開口部（第２の開口部）
9c 保持部開口部（第２の開口部）
10a 載置部開口部（第１の開口部）
10b 載置部開口部（第１の開口部）
10c 載置部開口部（第１の開口部）
11a 脱落防止ストッパ内側
12a 脱落防止ストッパ外側
13a 抽出開口構成辺
14a 嵌合凸部上部
14b 嵌合凸部上部
14c 嵌合凸部上部
15a 嵌合凸部下部
15b 嵌合凸部下部
15c 嵌合凸部下部
16a 嵌合凹部上部
16b 嵌合凹部上部
16c 嵌合凹部上部
17a 嵌合凹部下部
17b 嵌合凹部下部
17c 嵌合凹部下部
18 ペーパーフィルタ最下点
19 スリット
20 突起を有したはめ込み部
21 蝶番
22a 載置部下辺
22b 載置部下辺
22c 載置部下辺
23a 上部開口構成辺
23b 上部開口構成辺
23c 上部開口構成辺
【図１】
2017051477.tif 000003
【図２】
2017051477.tif 000004
【図３】
2017051477.tif 000005
【図４】
2017051477.tif 000006
【図５】
2017051477.tif 000007
【図６】
2017051477.tif 000008
【図７】
2017051477.tif 000009
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
互いに分離可能な３枚の板材を含み、これら３枚の板材を三角錘状に組み立てた状態でカップの上に載置されてペーパーフィルタを保持するドリッパーであって、
各板材は、嵌合凸部と嵌合凹部とを有し、
前記３枚の板材の組み立て状態で、各板材の嵌合凸部が隣接する各板材の嵌合凹部に嵌合し、
各板材は、
前記ペーパーフィルタを保持するためのペーパーフィルタ保持部と、前記ドリッパーを前記カップの上に載置した状態で前記カップの縁に係合する載置部とを含む、ドリッパー。
【請求項２】
前記３枚の板材の前記組み立て状態において、各板材は変形していない、請求項１に記載のドリッパー。
【請求項３】
各載置部と各嵌合凹部との間には、少なくとも一つ以上の第１開口部が形成されている、請求項１または２に記載のドリッパー。
【請求項４】
各ペーパーフィルタ保持部には、少なくとも一つ以上の第２開口部が形成されている、請求項１〜３のいずれか一項に記載のドリッパー。
【請求項５】
前記３枚の板材は、互いに共通の諸元を有している、請求項１〜４のいずれか一項に記載のドリッパー。
【手続補正２】
【補正対象書類名】明細書
【補正対象項目名】０００８
【補正方法】変更
【補正の内容】
【０００８】
特許文献２のドリッパーも、超弾性合金フレームの剛性不足により安定性に欠ける。
そのため、特許文献１、２では抽出完了後に移動させる際には注意が必要となる。
そこで、本発明の目的は、分解可能で、かつ組み立て状態で剛性の高いドリッパーを提供することである。
【手続補正３】
【補正対象書類名】明細書
【補正対象項目名】０００９
【補正方法】変更
【補正の内容】
【０００９】
上記の目的を達成するための請求項１に記載の発明は、互いに分離可能な３枚の板材を含み、これら３枚の板材を三角錘状に組み立てた状態でカップの上に載置されてペーパーフィルタを保持するドリッパーであって、各板材は、嵌合凸部と嵌合凹部とを有し、前記３枚の板材の組み立て状態で、各板材の嵌合凸部が隣接する各板材の嵌合凹部に嵌合し、各板材は、前記ペーパーフィルタを保持するためのペーパーフィルタ保持部と、前記ドリッパーを前記カップの上に載置した状態で前記カップの縁に係合する載置部とを含む、ドリッパーを提供する。
【手続補正４】
【補正対象書類名】明細書
【補正対象項目名】００１０
【補正方法】変更
【補正の内容】
【００１０】
請求項２に記載の発明は、前記３枚の板材の前記組み立て状態において、各板材は変形していない、請求項１に記載のドリッパーである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３に記載の発明は、各載置部と各嵌合凹部との間には、少なくとも一つ以上の第１開口部が形成されている、請求項１または２に記載のドリッパーである。
【手続補正７】
【補正対象書類名】明細書
【補正対象項目名】００１３
【補正方法】変更
【補正の内容】
【００１３】
請求項４に記載の発明は、各ペーパーフィルタ保持部には、少なくとも一つ以上の第２開口部が形成されている、請求項１〜３のいずれか一項に記載のドリッパーである。
【手続補正８】
【補正対象書類名】明細書
【補正対象項目名】００１４
【補正方法】変更
【補正の内容】
【００１４】
請求項５に記載の発明は、前記３枚の板材は、互いに共通の諸元を有している、請求項１〜４のいずれか一項に記載のドリッパーである。
【手続補正９】
【補正対象書類名】明細書
【補正対象項目名】００１５
【補正方法】変更
【補正の内容】
【００１５】
本発明のドリッパーでは、３つの板材を三角錘状に組み合わせている。つまり１つの板材は残りの２つの板材に支持されるため、３つの板材は互いに相対的な位置が固定される。よって組立後は３つの板材は高剛性体となり、使用時に求められる剛性を十分に有する。これにより、分解可能で、かつ組み立て状態で剛性の高いドリッパーを提供できる。
【手続補正１０】
【補正対象書類名】明細書
【補正対象項目名】００１６
【補正方法】変更
【補正の内容】
【００１６】
【図１】本発明の第１の実施形態に係るドリッパーの使用形態を表す斜視図である。
【図２】本発明の第１の実施形態に係る、組立状態のドリッパーが示された斜視図である。
【図３】前記組立状態のドリッパーが示された平面図である。
【図４】前記ドリッパーを構成する各板材を示す図である。
【図５】凹凸による脱着可能な嵌合部の拡大図である。
【図６】本発明の第２の実施形態に係るドリッパーを示す図である。
【図７】他の形態に係るドリッパーを示す図である。
【手続補正１１】
【補正対象書類名】明細書
【補正対象項目名】００１７
【補正方法】変更
【補正の内容】
【００１７】
以下、この発明の実施形態を図面を用いて説明する。
図１は、本発明の第１の実施形態に係るドリッパー１の使用形態を表す斜視図である。
図１に示すように、カップ５の上に組立状態のドリッパー１を載置した状態でドリッパー１を使用する。組立状態にあるドリッパー１は、上部開口２と、抽出開口３を有している。上部開口２より円錐型ペーパーフィルタ４を挿入可能であり、挿入された円錐型ペーパーフィルタ４を、組立状態にあるドリッパー１にて保持できるようになっている。
円錐型ペーパーフィルタ４の中にコーヒー粉などの抽出対象の粉末、固体等を入れ、上部から液体を注ぎ、抽出開口３から抽出液を抽出し、カップ５でこれを受ける。
図２は、本発明の第１の実施形態に係る、組立状態のドリッパー１が示された斜視図である。
図３は、前記組立状態のドリッパー１が示された平面図である。
ドリッパー１は、剛性を有する３枚の板材１ａ,１ｂ,１ｃを含む。３枚の板材１ａ,１ｂ,１ｃは互いに同じ諸元を有している。各板材１ａ,１ｂ,１ｃはステンレス等の鋼材料を用いて形成されてもいいし、チタンやチタン合金等の非鉄金属や、樹脂材料を用いて形成されてもよい。
この実施形態では、板材１ａ,１ｂ,１ｃは、互いに着脱可能である。板材１ａ,１ｂ,１ｃを組み立てる際には、板材１ａ,１ｂ,１ｃの互いに隣り合う辺同士を揃え、これら同士を結合させることにより、これらを錘状に組み立てて、ドリッパー１を構成できる。すなわち、ドリッパー１は分解可能に設けられている。
図４は、ドリッパー１を構成する板材１ａを示す図である。
板材１ａ,１ｂ,１ｃの諸元は互いに共通しているので、板材１ａについてのみ説明し、板材１ｂ,１ｃについての説明は省略する。板材１ａは略直角台形（直角を持つ台形）をなしている。板材１ａは、略二等辺三角形状のペーパーフィルタ保持部８ａと、略直角三角形状の載置部６ａとを、一枚の板材に形成したものである。
ペーパーフィルタ保持部８ａは、略二等辺三角形状からなるペーパーフィルタ保持部８ａの等辺の交点を頂点とし、この頂角θがたとえば約６０度である二等辺三角形の面により形成される。ペーパーフィルタ保持部８ａは、切欠きからなる、直線状の抽出開口構成辺１３ａを有している。板材１ａの抽出開口構成辺１３ａの形状は、嵌合の機能を損なわない範囲で任意に決めることができる。ペーパーフィルタ保持部８ａの上部には直線状の上部開口構成辺２３ａを有している。ペーパーフィルタ保持部８ａは、抽出時に粉末から発生するガスの放出を促すため、かつ軽量化のために、たとえば等脚台形からなる保持部開口９ａ（第２の開口部）を有している。但し、保持部開口９ａの形状は嵌合の機能を損なわない範囲であることと円錐型ペーパーフィルタ４を保持する機能を損なわないことが求められる。
ペーパーフィルタ保持部８ａの一方の等辺（上部開口構成辺２３ａを除く二辺の一方）には、当該等辺に沿う方向の中央部に、嵌合凸部１４ａ，１５ａが設けられている。また、ペーパーフィルタ保持部８ａの他方の等辺（上部開口構成辺２３ａを除く二辺の他方）には、当該等辺に沿う方向の中央部に、嵌合凹部１６ａ，１７ａが設けられている。
載置部６ａは、その中央部に、たとえば三角形状の載置部開口（第１の開口部）１０ａを有し、当該載置部開口を除いた部分が、Ｌ字状をなしている。載置部開口１０ａは板材１ａの軽量化のために設けられる。この実施形態では、載置部開口１０ａが上下の嵌合凹部１６ａ,１７ａと一体に設けられているが、載置部開口１０ａと、嵌合凹部１６ａ,１７ａとが間隔を隔てて設けられていてもよい（すなわち、載置部開口１０ａと嵌合凹部１６ａ，１７ａとが個々に設けられていてもよい）。この場合、嵌合凹部１６ａ，１７ａ同士は一体に設けられていてもよいし、嵌合凹部１６ａ，１７ａもここに設けられていてもよい。
互いに共通の前記諸元を有した３つの板材１ａ,１ｂ,１ｃを、ペーパーフィルタ保持部８ａの一方の等辺と他方の等辺同士が沿うように組み立てると、中心角が１８０°である円錐型ペーパーフィルタ４にフィットする三角錐形状となる。尚、ペーパーフィルタ保持部８ａを形成する二等辺三角形の等辺の長さは任意であり、円錐型ペーパーフィルタのサイズに合わせる。
３つの板材１ａ,１ｂ,１ｃを組み立てた状態で、各板材１ａ,１ｂ,１ｃの嵌合凸部１４ａ，１５ａを、組立て状態で隣接する他の板材１ａ,１ｂ,１ｃの嵌合凹部１６ａ，１７ａと嵌合することにより、３つの板材１ａ,１ｂ,１ｃ同士が結合される。これにより、３つの板材１ａ,１ｂ,１ｃが互いに固定され、ドリッパー１が高い剛性を有するようになる。
図５は、嵌合凸部１４ａ，１５ａと嵌合凹部１６ａ，１７ａとの嵌合状態を示す拡大図である。
図５では、板材１ｃの嵌合凸部１４ｃ，１５ｃを、隣り合う板材１ａの嵌合凹部１６ａ，１７ａに嵌合させている。このとき、嵌合凸部１４ｃ，１５ｃは、嵌合凹部１６ａ，１７ａと同等の長さ寸法を有しており、そのため、板材１ｃを撓ませ、嵌合凸部１４ｃ，１５ｃを嵌合凹部１６ａ，１７ａへ挿入することにより嵌合させる。さらに、板材１ｂの嵌合凸部１４ｂ，１５ｂを、隣り合う板材１ｃの嵌合凹部１６ｃ，１７ｃに嵌合させ、かつ板材１ａの嵌合凸部１４ａ，１５ａを、隣り合う板材１ｂの嵌合凹部１６ｂ，１７ｂに嵌合させることにより、３つの板材１ａ,１ｂ,１ｃ同士が結合され、３つの板材１ａ,１ｂ,１ｃが互いに固定される。これにより、ドリッパー１が三角錐状の組立形状となる。
組立状態で各板材１ａ,１ｂ,１ｃの各抽出開口構成辺１３ａ,１３ｂ,１３ｃは抽出開口３を形成する。組立状態で、各板材１ａ,１ｂ,１ｃの各上部開口構成辺２３ａ,２３ｂ,２３ｃは上部開口２を形成する。組立状態で、各板材１ａ,１ｂ,１ｃの各ペーパーフィルタ保持部８ａ,８ｂ,８ｃによって、円錐型ペーパーフィルタ４が保持される。そして、組立状態において載置部６ａ,６ｂ,６ｃは、図３に示す通り上面から見て互いに120°ずつ位相がずれており、３点支持による載置の安定性を有する。
載置部６ａの下端部には脱落防止ストッパ内側１１ａと脱落防止ストッパ外側１２ａとが形成されている。脱落防止ストッパ内側１１ａと、脱落防止ストッパ外側１２ａは対象とするカップの径に合わせて決められる。ペーパーフィルタ保持部８ａの各辺のうち、載置部６ａと反対側の辺には、他の板材１ａ,１ｂ,１ｃの嵌合凹部１６ａ,１７ａとそれぞれ嵌合する、嵌合凸部１４ａ,１５ａが形成されている。
載置部下辺２２ａから略二等辺三角形状からなるペーパーフィルタ保持部８ａの等辺の交点（つまり、略二等辺三角形形状の頂点）であるペーパーフィルタ最下点１８までの距離ｈは任意で決めることができる。この距離を小さくすると、使用時に円錐型ペーパーフィルタ４の位置が、カップ５に対し高くなり、液体抽出量が多い場合でも、円錐型ペーパーフィルタ４が抽出液に浸漬しにくい。逆に、この距離ｈを大きくすると使用時に円錐型ペーパーフィルタ４が抽出液に浸漬しやすくなるものの、板材１ａの重量を軽くすることができる。
以上により、この実施形態によれば、ドリッパー１は高剛性体となり、使用時に求められる剛性を十分に有する。これにより、折りたたみまたは分解可能で、かつ剛性の高いドリッパー１を提供できる。
図６は、本発明の第２の実施形態に係るドリッパーを示す図である。図６において、第１の実施形態に示された各部に対応する部分には、前述の図１〜図５の場合と同一の参照符号を付して示し、説明を省略する。図６の実施形態に係るドリッパーが、図１〜図５に係るドリッパー１と相違する点は、載置部開口１０ａ，１０ｂ，１０ｃを廃止した点である。この場合、嵌合凹部としてスリット１９を設け、嵌合突部としてはめ込み部２０を設けている。
図７は、他の形態に係るドリッパーを示す図である。図７において、第１の実施形態に示された各部に対応する部分には、前述の図１〜図５の場合と同一の参照符号を付して示し、説明を省略する。図７の形態に係るドリッパーが、図１〜図５に係るドリッパー１と相違する点は、隣接する板材１ａ，１ｃ同士が、蝶番２１によって連結されている。たとえば、隣接する板材１ｂ，１ｃ同士も蝶番２１によって連結し、かつ隣接する板材１ａ，１ｂ同士を嵌合凸部１４ａ，１５ａと嵌合凹部１６ｂ，１７ｂによる一時結合手法を採用することにより、非使用時においても、これら３枚の板材１ａ，１ｂ，１ｃを一括して取り扱うことができる。
つまり、嵌合部は、前記の図５の手法だけでなく、図６に示す突起を有したはめ込み部２０とスリット１９による着脱可能な嵌合手法など、使用に耐えうる嵌合力もしくは固定力を有していれば、何れの手法でも採用可能である。
以上、この発明の３つの実施形態について説明したが、本発明はさらに他の形態を採用することもできる。
上述の通り、本実施例は三角錐形状であるが、板材１ａ,１ｂ,１ｃを図４に示すペーパーフィルタ最下点１８から放射状に伸ばした１つ以上の線で折り曲げることにより、円錐型ペーパーフィルタにフィットするような、六角錐、十二角錐など構造を得ることができる。この場合、角数をnとすると一つの面の左右の辺のなす角θ＝１８０/ｎの略二等辺三角形のペーパーフィルタ保持部に載置部を有した形状となる。角数nを増すと円錘形状に近似されていくため、円錐型ドリッパーと同じような使用感を得ることができる。
また、各板材１ａ,１ｂ,１ｃの材質として、チタンやチタン合金等を採用することにより、高比剛性を得られる。また、各板材１ａ,１ｂ,１ｃの材質として、ステンレスを用いることにより、チタン材よりも薄い素材で同程度の剛性を得ることができる。更に耐熱性の樹脂を用いる事により低コストでの生産が可能と考えられる。つまり材料の選定により、様々な特徴をもったドリッパーを提供できる。